(57)【要約】【課題】  会話をスムーズに行うことができる音声送受信装置を提供する。【解決手段】  電話機２ａは、音声の送受信に掛かる時間２Ｔ0 を算出する送受信時間算出回路２５と、送話音声のレベルを検出する音声レベル検出回路２６と、検出したレベルが閾値以下の状態となってから、算出した送受信時間２Ｔ0 が経過するまでの間点灯し、送話者に対して送話の禁止を促すキューランプ１７とを備える。会話が重なったり、間が開いたりするのを抑止することができ、会話をスムーズに行うことができる。【選択図】        図２
2005051629.tif 000002
【特許請求の範囲】
【請求項１】
通信網を介して音声の送受信を行う音声送受信装置において、
前記音声の送受信に掛かる時間を算出する送受信時間算出手段と、送話音声のレベルを検出する音声レベル検出手段と、検出したレベルが閾値以下の状態となってから、算出した送受信時間が経過するまでの間、送話者に対して送話の禁止を促す報知手段とを備えたことを特徴とする音声送受信装置。
【請求項２】
前記送受信時間を表示する表示手段を備えたことを特徴とする請求項１に記載の音声送受信装置。
【請求項３】
通信網を介して音声の送受信を行う音声送受信装置において、
前記音声の送受信に掛かる時間を算出する送受信時間算出手段と、算出した送受信時間を表示する表示手段とを備えたことを特徴とする音声送受信装置。
【発明の詳細な説明】
【技術分野】
【０００１】
本発明は、通信網を介して音声の送受信を行う音声送受信装置に関する。
【背景技術】
【０００２】
音声送受信装置として、電話回線やインターネットなどの通信網を利用した携帯電話やＩＰ（インターネットプロトコル）電話が普及している。このような音声送受信装置では、利用する通信網の状態により、音声の送受信に時間が掛かるような場合、音声が途切れて通話品質が劣化するという問題があった。
【０００３】
上記のような問題を解決するために、実音声欠落率が会話成立の最大の音声欠落率以内で許容されるように、受信バッファに蓄積されたデジタル音声データの量を制御するバッファ蓄積量制御部を備えたリアルタイム音声再生装置が提案されている（特許文献１参照）。
【特許文献１】特開２００２−２２３２４７号公報
【発明の開示】
【発明が解決しようとする課題】
【０００４】
従来の音声送受信装置では、音声の送受信に時間が掛かるような場合、音声が途切れて通話品質が劣化するという問題の他に、送受信側双方で会話のタイミングがうまくつかめず、ぎこちない会話になるという問題があった。
【０００５】
本発明は、上記課題を鑑みてなされたものであり、会話をスムーズに行うことができる音声送受信装置を提供することを目的とする。
【課題を解決するための手段】
【０００６】
上記目的を達成するために、本発明は、通信網を介して音声の送受信を行う音声送受信装置において、前記音声の送受信に掛かる時間を算出する送受信時間算出手段と、送話音声のレベルを検出する音声レベル検出手段と、検出したレベルが閾値以下の状態となってから、算出した送受信時間が経過するまでの間、送話者に対して送話の禁止を促す報知手段とを備えたことを特徴とする。なお、前記送受信時間を表示する表示手段を備えることが好ましい。
【０００７】
また、本発明は、通信網を介して音声の送受信を行う音声送受信装置において、前記音声の送受信に掛かる時間を算出する送受信時間算出手段と、算出した送受信時間を表示する表示手段とを備えたことを特徴とする。
【発明の効果】
【０００８】
本発明の音声送受信装置によれば、音声の送受信に掛かる時間を算出する送受信時間算出手段と、送話音声のレベルを検出する音声レベル検出手段と、検出したレベルが閾値以下の状態となってから、算出した送受信時間が経過するまでの間、送話者に対して送話の禁止を促す報知手段とを備えたので、会話をスムーズに行うことができる。
【発明を実施するための最良の形態】
【０００９】
図１において、本発明を適用した電話機２ａ（ＴＥＬ−Ａ）は、電話回線やインターネットなどの通信網１０を介して、相手側の電話機２ｂ（ＴＥＬ−Ｂ）と通信可能となっている。ＴＥＬ−ＡおよびＴＥＬ−Ｂは同様の構成を有し、アンテナ１１と、相手方に送信する送話音声を取り込むマイク１２、および相手から送信される受話音声を出力するスピーカー１３が内蔵された受話器１４とを備えている。また、その本体には、ダイヤルボタンや短縮ボタンなどからなる操作部１５、相手先の電話番号などの情報を表示するモニタ１６、およびキューランプ１７が設けられている。
【００１０】
ＴＥＬ−Ａの電気的構成を示す図２において、制御回路２０は、ＴＥＬ−Ａの全体を統括的に制御する。制御回路２０には、通信Ｉ／Ｆ２１、音声処理回路２２、ドライバ２３、およびメモリ２４が接続されている。通信Ｉ／Ｆ２１は、アンテナ１１を介して電波信号を送受信する。音声処理回路２２は、マイク１２から入力される送話音声を、デジタルの音声データに変換するとともに、通信Ｉ／Ｆ２１で受信したＴＥＬ−Ｂからの受話音声を、アナログの音声データに変換してスピーカー１３に出力する。ドライバ２３は、モニタ１５の駆動制御を行う。メモリ２４には、短縮ダイヤルや送信履歴などのデータや各種プログラムが格納されている。
【００１１】
制御回路２０には、送受信時間算出回路２５と、音声レベル検出回路２６とが設けられている。送受信時間算出回路２５は、ＴＥＬ−Ａ、ＴＥＬ−Ｂ間で音声の送受信に掛かる時間を算出する。音声レベル検出回路２６は、マイク１２に入力される送話音声のレベルを検出する。
【００１２】
送受信時間算出回路２５は、図３のタイミングチャートに示す手順で送受信時間２Ｔ0 （Ｔ0 は送信時間、または受信時間）を算出する。まず、ＴＥＬ−ＡからＴＥＬ−Ｂに電話が掛けられ、ＴＥＬ−Ａの呼び出しに応じてＴＥＬ−Ｂの受話器１４がとられる。このとき、ＴＥＬ−ＢからＴＥＬ−Ａに高周波パルス信号ａを送信する。ＴＥＬ−Ａはこの信号ａを受信し（信号ａ’）、ＴＥＬ−Ｂに信号ｂを送信する。同様に、ＴＥＬ−Ｂは信号ｂを受信し（信号ｂ’）、ＴＥＬ−Ａに信号ｃを送信する。そして、ＴＥＬ−Ａは信号ｃを受信する（信号ｃ’）。送受信時間算出回路２５は、信号ｂと信号ｃ’（ＴＥＬ−Ｂの場合は信号ａと信号ｂ’）との時間差から、送受信時間２Ｔ0 を算出する。なお、ＴＥＬ−Ａから先に高周波パルス信号を送信してもよい。
【００１３】
送受信時間２Ｔ0 は、キューランプ１７の点灯時間として制御回路２０に送信される。また、図４に示すように、モニタ１６に表示される。このようにすると、相手に会話が伝わるまでの時間を推測することができる。なお、２Ｔ0 の代わりにＴ0 を表示してもよい。
【００１４】
図５に示すように、音声レベル検出回路２６は、マイク１２から入力される送話音声を平均化して矩形波と見なして、音声レベルを検出する。この音声レベル検出回路２６は、平均化した音声が予め設定された閾値以下となり、この状態で所定時間Ｔが経過した場合、一つの送話のセンテンスＳが終了したと判断し、キューランプ１７を点灯させる。なお、図中「２Ｔ0 ＋α」のαは、ＴＥＬ−Ｂの相手がＴＥＬ−Ａの話を聞いてから話し出すまでの遅れ時間であり、０．５〜２秒程度に設定される。
【００１５】
キューランプ１７は、音声レベル検出回路２６で検出した音声レベルが、予め設定された閾値以下となり、この状態で所定時間Ｔが経過したときから、送受信時間算出回路２５で算出した送受信時間２Ｔ0 （＋α）が経過するまでの間点灯し、送話者に対して送話の禁止を促す報知手段として機能する。なお、キューランプ１７の代わりに、音声ガイドやバイブレータなどを報知手段として用いてもよい。      
【００１６】
次に、上記実施形態による作用について、図６および図７のフローチャートを参照して説明する。まず、ＴＥＬ−ＡからＴＥＬ−Ｂに電話が掛けられ、ＴＥＬ−Ａの呼び出しに応じてＴＥＬ−Ｂの受話器１４がとられると、送受信時間算出回路２５により、図７に示す手順で送受信時間２Ｔ0 が算出される。
【００１７】
図７において、ＴＥＬ−ＢからＴＥＬ−Ａに高周波パルス信号ａが送信される。ＴＥＬ−Ａでこの信号ａが受信されると、ＴＥＬ−Ｂに信号ｂが送信される。同様に、ＴＥＬ−Ｂで信号ｂが受信されると、ＴＥＬ−Ａに信号ｃが送信され、ＴＥＬ−Ａで信号ｃが受信される。そして、送受信時間算出回路２５により、信号ｂと信号ｃ’との時間差から、送受信時間２Ｔ0 が算出される。
【００１８】
図６において、送受信時間２Ｔ0 の算出後、音声レベル検出回路２６でマイク１２に入力される送話音声がモニタリングされる。このモニタリング中に、音声のレベルが閾値以下となり、この状態で所定時間Ｔが経過した場合、音声レベル検出回路２６で一つの送話のセンテンスＳが終了したと判断され、キューランプ１７が点灯される。
【００１９】
音声レベルが閾値以下のまま２Ｔ0 ＋α経過すると、キューランプ１７が消灯される。これら一連の処理は、ＴＥＬ−ＡとＴＥＬ−Ｂとの通話が終了するまで繰り返し行われる。上記のような構成であると、会話が重なったり、間が開いたりするのを抑止することができ、会話をスムーズに行うことができる。
【００２０】
なお、上記実施形態では、音声送受信装置として電話機２ａ、２ｂを例示して説明したが、ヘッドセットが接続されたパーソナルコンピュータや携帯電話、テレビ電話などの他の音声送受信装置についても、本発明は適用可能である。ここで、インターネットを利用したＩＰ電話に本発明を適用した場合は、ｐｉｎｇにより送受信時間２Ｔ0 を算出すればよい。
【図面の簡単な説明】
【００２１】
【図１】本発明を適用した電話機およびこれを利用した通信ネットワークの模式図である。
【図２】電話機の電気的構成を示すブロック図である。
【図３】送受信時間の算出手順を示すタイミングチャートである。
【図４】モニタに送受信時間を表示した状態を示す図である。
【図５】通話状態に対するキューランプの動作を示すタイミングチャートである。
【図６】電話機の処理手順を示すフローチャートである。
【図７】送受信時間の算出手順を示すフローチャートである。
【符号の説明】
【００２２】
２ａ、２ｂ    電話機（ＴＥＬ−Ａ、ＴＥＬ−Ｂ）
１０    通信網
１１    アンテナ
１２    マイク
１３    スピーカー
１６    モニタ
１７    キューランプ
２０    制御回路
２４    メモリ
２５    送受信時間算出回路
２６    音声レベル検出回路
【図１】
2005051629.tif 000003
【図２】
2005051629.tif 000004
【図３】
2005051629.tif 000005
【図４】
2005051629.tif 000006
【図５】
2005051629.tif 000007
【図６】
2005051629.tif 000008
【図７】
2005051629.tif 000009